(57)【要約】【課題】スピニングリールの釣り糸案内機構において、ドラグが作用しながら釣り糸が前方に繰り出されている時に釣り糸がよれるのを防止する。【解決手段】ベールアーム３４は、ベール４１と、固定軸４３と、ラインローラ４４と、ワンウェイクラッチ４５と、固定軸カバー４６とを有している。ワンウェイクラッチ４５は、固定軸４３の外周部とラインローラ４４の内周部との間に配置され、釣り糸を巻き取る方向の回転を許容し、かつ、釣り糸を放出する方向の回転を禁止するものである。【選択図】図５
2011177117.tif 000002
【特許請求の範囲】
【請求項１】
第１ロータアーム及び第２ロータアームの先端に糸案内姿勢と糸開放姿勢とに揺動自在に装着され、釣り糸をスプールに案内するスピニングリールの釣り糸案内機構であって、
前記第１ロータアーム及び前記第２ロータアームの先端にそれぞれ揺動自在に装着された第１ベール支持部材及び第２ベール支持部材と、
前記第１ベール支持部材に一端が固定された固定軸と、
前記固定軸の他端に前記第１ベール支持部材と間隔を隔てて設けられた固定軸カバーと、
前記固定軸の外周に装着され、前記釣り糸を巻き取る方向の回転を許容し、かつ、前記釣り糸を放出する方向の回転を禁止するワンウェイクラッチと、
前記ワンウェイクラッチの外周に装着され、周面に前記釣り糸を案内する案内部が形成されたラインローラと、
他端部が前記固定軸カバーに装着され、前記釣り糸を前記固定軸カバーを介して前記ラインローラに導くベールと、
を備えたスピニングリールの釣り糸案内機構。
【請求項２】
前記第１ベール支持部材に前記固定軸の一端を固定する固定部材をさらに備え、
前記固定軸は、前記固定部材が装着固定される軸部材と、前記軸部材の外周部に別体で設けられ前記ワンウェイクラッチの内周部を支持する筒状部材とを有している、請求項１に記載のスピニングリールの釣り糸案内機構。
【発明の詳細な説明】
【技術分野】
【０００１】
本発明は、釣り糸案内機構、特に、第１ロータアーム及び第２ロータアームの先端に糸案内姿勢と糸開放姿勢とに揺動自在に装着され、釣り糸をスプールに案内するスピニングリールの釣り糸案内機構に関する。
【背景技術】
【０００２】
スピニングリールには、釣り糸をスプールに案内する釣り糸案内機構が設けられている。釣り糸案内機構は、第１ロータアーム及び第２ロータアームの先端に装着され、ロータとともに回転し、かつ糸開放姿勢と糸案内姿勢との間で揺動自在に設けられている。このような釣り糸案内機構は、第１ベール支持部材及び第２ベール支持部材と、第１ベール支持部材の先端に一端が固定された固定軸と、固定軸の他端に固定された固定軸カバーと、固定軸カバーに一端が取り付けられたベールと、固定軸に支持されたラインローラとを備えている。ベールの一端は固定軸カバーに挿入固定されており、ベールの他端は第２ベール支持部材の先端に取り付けられている（たとえば、特許文献１参照）。
【０００３】
このような釣り糸案内機構を有するスピニングリールでは、釣り糸をスプールに巻き取る際に、ベールを糸案内姿勢側に揺動させハンドルを回す。すると、釣り糸はベールに誘導されて固定軸カバーを介してラインローラの外周面に案内されて接触する。そして、釣り糸は、ラインローラに案内されて方向が変えられ、スプール外周に巻き取られる。
【０００４】
この種の釣り糸案内機構では、糸放出時には釣り糸が巻かれた状態のままで、すなわち螺旋状になってスプールの先端から繰り出されるので、このときに糸よれが発生する。通常、スピニングリールでは、スプールから繰り出された釣り糸に糸よれが生じないように、ロータを回転させて釣り糸を巻きつける際に繰り出し時と逆向きに糸よれした状態でスプールに巻き付けられるようになっている。ここでは、繰り出し時と巻き取り時で同じ大きさの糸よれが逆方向に生じるようになっているので、糸よれが発生しないようになっている。
【先行技術文献】
【特許文献】
【０００５】
【特許文献１】特開２００５−１３０７８７号公報
【発明の概要】
【発明が解決しようとする課題】
【０００６】
前記従来の釣り糸案内機構は、ロータを回転させて釣り糸を巻きつける際に繰り出し時と逆向きに糸よれした状態でスプールに巻き付けられるようになっているので、ロータを回転させて釣り糸を繰り出す時には、糸よれが発生しないようになっている。しかし、ドラグが作用しながら釣り糸が前方に繰り出されている時、すなわち、ロータを回転させないでスプール自身が回転して釣り糸を繰り出している時には、逆方向の糸よれが残ったまま釣り糸が繰り出されることになるので、糸よれが発生してしまうおそれが生じる。
【０００７】
本発明の課題は、スピニングリールの釣り糸案内機構において、ドラグが作用しながら釣り糸が前方に繰り出されている時に釣り糸がよれるのを防止することにある。
【課題を解決するための手段】
【０００８】
発明１に係るスピニングリールの釣り糸案内機構は、第１ロータアーム及び第２ロータアームの先端に糸案内姿勢と糸開放姿勢とに揺動自在に装着され、釣り糸をスプールに案内するスピニングリールの釣り糸案内機構であって、第１ベール支持部材及び第２ベール支持部材と、固定軸と、固定軸カバーと、ワンウェイクラッチと、ラインローラと、ベールとを備えている。第１ベール支持部材及び第２ベール支持部材は、第１ロータアーム及び第２ロータアームの先端にそれぞれ揺動自在に装着されている。固定軸は、第１ベール支持部材に一端が固定されている。固定軸カバーは、固定軸の他端に第１ベール支持部材と間隔を隔てて設けられている。ワンウェイクラッチは、固定軸の外周に装着され、釣り糸を巻き取る方向の回転を許容し、かつ、釣り糸を放出する方向の回転を禁止する部材である。ラインローラは、ワンウェイクラッチの外周に装着され、周面に釣り糸を案内する案内部が形成されている。ベールは、他端部が固定軸カバーに装着され、釣り糸を固定軸カバーを介してラインローラに導く部材である。
【０００９】
この釣り糸案内機構では、釣り糸を巻き取る方向の回転を許容し、かつ、釣り糸を放出する方向の回転を禁止するワンウェイクラッチが設けられている。ここでは、ラインローラは、ワンウェイクラッチによって、釣り糸を巻き取る方向のみ回転し、釣り糸を放出する方向への回転が禁止されるので、特に、ドラグが作用しながら釣り糸が前方に繰り出されている時においても、ラインローラが回転しないようになっている。ここでは、ドラグが作用しながら釣り糸が前方に繰り出されている時にラインローラが回転しないようになっているので、釣り糸がよれた状態で繰り出されることがなくなる。したがって、ドラグが作用しながら釣り糸が前方に繰り出されている時に釣り糸がよれるのを防止することができる。
【００１０】
発明２に係る釣り糸案内機構は、発明１の釣り糸案内機構において、第１ベール支持部材に固定軸の一端を固定する固定部材をさらに備えている。固定軸は、固定部材が装着固定される軸部材と、軸部材の外周部に別体で設けられワンウェイクラッチの内周部を支持する筒状部材とを有している。この場合、固定軸は、軸部材及び筒状部材の２つの部材にすることにより、固定部材を軸部材に強くねじ込んで装着固定した場合でも、軸部材と別体の筒状部材を軸方向に移動可能な状態で介装することができるので、ラインローラと固定軸との間にワンウェイクラッチを配置しても、ラインローラの回転が重くなるのを防止することができる。
【発明の効果】
【００１１】
本発明によれば、スピニングリールの釣り糸案内機構において、釣り糸を巻き取る方向の回転を許容し、かつ、釣り糸を放出する方向の回転を禁止するワンウェイクラッチが設けられているので、ドラグが作用しながら釣り糸が前方に繰り出されている時に釣り糸がよれるのを防止することができる。
【図面の簡単な説明】
【００１２】
【図１】本発明の一実施形態を採用したスピニングリールの右側面図。
【図２】前記スピニングリールの左側面断面図。
【図３】前記スピニングリールの正面図。
【図４】ベールアームの側面から見たときの斜視図。
【図５】前記ベールアームの側面断面図。
【発明を実施するための形態】
【００１３】
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００１４】
ハンドル１は、Ｔ字状の把手部１ａと、先端に把手部１ａが回転自在に装着されたＬ字状のクランクアーム１ｂとを有している。
【００１５】
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００１６】
スプール４は、図１及び図２に示すように、後述するロータ３の第１ロータアーム３１及び第２ロータアーム３２の間に配置されており、このスプール４の中心部がスプール軸１５の先端部にドラグ機構６０（図２参照）を介して連結されている。
【００１７】
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはねじ方向及び径が異なる雌ねじ部がそれぞれ形成されており、両雌ねじ部にハンドル１が回転不能に装着可能である。
【００１８】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
【００１９】
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２０】
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００２１】
ベールアーム３４は、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に揺動自在に装着されている。ベールアーム３４は、図３から図５に示すように、第１ベール支持部材４０及び第２ベール支持部材４２を連結するベール４１と、第１ベール支持部材４０に先端が固定された固定軸４３（図５参照）と、固定軸４３の外周に装着されたワンウェイクラッチ４５（図５参照）と、ワンウェイクラッチ４５の外周に装着されたラインローラ４４と、固定軸４３を覆う固定軸カバー４６とをさらに有している。
【００２２】
第１ベール支持部材４０は、図４及び図５に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図５参照）が形成されており、貫通孔４０ｃには固定軸４３を第１ベール支持部材４０に固定するための固定ボルト５２が貫通している。
【００２３】
ベール４１は、図３に示すように、第２ベール支持部材４２及び固定軸カバー４６に両端が固定された棒状のステンレス合金製部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００２４】
固定軸４３は、図５に示すように、固定軸カバー４６の他端側から別体で装着されるアルミニウム合金製の軸部材であって、大径の頭部４３ａと、外周側にワンウェイクラッチ４５が配置される軸部４３ｂとを有している。頭部４３ａは、図５に示すように、固定軸カバー４６の後述するカバー本体４６ａの端部に凹んで形成された凹部４６ｂ内に配置されている。軸部４３ｂは、頭部４３ａの一端から第１ベール支持部材４０に向かって延びており、先端が固定ボルト５２によりねじ止め固定されている。軸部４３ｂは、頭部４３ａと一体成形され固定ボルト５２が装着固定される軸部材４３ｃと、軸部材４３ｃの外周部に別体で設けられワンウェイクラッチ４５の内周部を支持する筒状部材４３ｄとを有している。筒状部材４３ｄは、軸部材４３ｃの外周部に軸方向に移動可能な状態で介装されている。ここでは、軸部材４３ｃと筒状部材４３ｄとが別体で設けられているので、固定ボルト５２を軸部材４３ｃに強くねじ込んだ場合でも、軸部材４３ｃと別体の筒状部材４３ｄが軸方向に移動可能な状態で介装されているので、ラインローラ４４と固定軸４３との間にワンウェイクラッチ４５を配置しても、ラインローラ４４の回転が重くなるのを防止することができる。
【００２５】
ラインローラ４４は、図５に示すように、外周面に釣り糸を案内する溝が形成された筒状の案内部４４ａと、案内部４４ａの内周側に配置された筒状部４４ｂとを有している。案内部４４ａは、筒状部４４ｂを介してワンウェイクラッチ４５の外周部に、釣り糸を巻き取る方向の回転可能、かつ、釣り糸を放出する方向の回転不能に装着されている。具体的には、左側に装着されたハンドル１を反時計回り（左回り）に回すと、ロータ３は前方から見て反時計回り（左回り）に回転し、釣り糸がスプール４の外周に前方から見て反時計回り（左回り）に巻き付けられる。このため、釣り糸を巻き取るときは、釣り糸は、ベール４１及び固定軸カバー４６の外側を滑ってラインローラ４４に案内され、ラインローラ４４を第１ベール支持部材４０側から見て反時計回り（左回り）（ベールアーム３４を糸案内姿勢にしたとき後方側に向かう方向）に通過する。本件のラインローラ４４は、ワンウェイクラッチ４５によって、釣り糸を巻き取る方向の回転を許容し、かつ、釣り糸を放出する方向の回転を禁止するようになっており、すなわち、本件のラインローラ４４は、第１ベール支持部材４０側から見て反時計回り（左回り）（ベールアーム３４を糸案内姿勢にしたとき後方側に向かう方向）の回転が許容され、第１ベール支持部材４０から見て時計回り（右回り）（ベールアーム３４を糸案内姿勢にしたとき前方側に向かう方向）の回転が禁止されるようになっている。また、案内部４４ａの一端部は、図５に示すように、第１ベール支持部材４０の装着部４０ｂの筒状部内周に配置され、案内部４４ａの一端部と装着部４０ｂの筒状部内周との間の隙間には、環状部材４４ｃが装着されており、釣り糸が内部に侵入しにくい構造になっている。
【００２６】
ワンウェイクラッチ４５は、図５に示すように、一方向のみの回転を許容し逆回転の回転を禁止するローラー式の一方向クラッチであって、固定軸４３の外周に装着され、釣り糸を巻き取る方向の回転を許容し、かつ、釣り糸を放出する方向の回転を禁止する部材である。ワンウェイクラッチ４５は、固定軸４３の軸部４３ｂの筒状部材４３ｄｃの外周部と、ラインローラ４４の筒状部４４ｂの内周部との間に配置されている。ワンウェイクラッチ４５は、他端部が筒状部材４３ｄｃのフランジ部に接触し、一端部が筒状部４４ｂの底部に接触することによって、軸方向に位置決めされている。
【００２７】
固定軸カバー４６は、図５に示すように、固定軸４３の他端に第１ベール支持部材４０の装着部４０ｂと間隔を隔てて設けられている。固定軸カバー４６は、図５に示すように、略円筒状の合成樹脂製の部材であって、固定軸４３の他端に第１ベール支持部材４０と間隔を隔てて設けられた略円筒状のカバー本体４６ａと、カバー本体４６ａの端部が凹んで形成され中央部が貫通する凹部４６ｂとを有している。凹部４６ｂは、図５に示すように、固定軸４３の頭部４３ａが挿通可能な段付きの貫通孔である。
【００２８】
次に、リールの操作及び動作について詳細に説明する。
【００２９】
キャスティング時には、ロータ３を逆転禁止状態にして、手でベールアーム３４を持ってベールアーム３４を糸開放姿勢に反転させる。ベールアーム３４が糸開放姿勢に倒れた状態では、スプール４からの釣り糸を容易に繰り出すことが可能である。
【００３０】
キャスティング後に、ベールアーム３４を糸開放姿勢に維持したままの状態で、ハンドル１を糸巻き取り方向に回転させると、ロータ駆動機構５によりロータ３が糸巻き取り方向に回転する。ロータ３が糸巻き取り方向に回転すると、ベールアーム３４が糸巻き取り姿勢に復帰する。このとき、さらにハンドル１を糸巻き取り方向に回転させると、釣り糸はベール４１から固定軸カバー４６を介してラインローラ４４に導出され、スプール４に巻き取られる。
【００３１】
このスピニングリールでは、固定軸４３の外周部とラインローラ４４の内周部との間に配置され、釣り糸を巻き取る方向の回転を許容し、かつ、釣り糸を放出する方向の回転を禁止するワンウェイクラッチ４５が設けられている。ここでは、ラインローラ４４は、ワンウェイクラッチ４５によって、釣り糸を巻き取る方向のみ回転し、釣り糸を放出する方向への回転が禁止されるので、特に、ドラグ機構６０が作用しながら釣り糸が前方に繰り出されている時においても、ラインローラ４４が回転しないようになっている。ここでは、ドラグ機構６０が作用しながら釣り糸が前方に繰り出されている時にラインローラ４４が回転しないので、釣り糸がよれた状態で繰り出されることがなくなる。したがって、ドラグ機構６０が作用しながら釣り糸が前方に繰り出されている時に釣り糸がよれるのを防止できる。
【００３２】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００３３】
（ｂ）  前記実施形態では、固定軸４３と固定軸カバー４６とが別体で形成されていたが、固定軸４３と固定軸カバー４６とを一体成形してもよい。
【００３４】
（ｃ）  前記実施形態では、ベール４１は円柱状の中実部材であったが、これに限定されるものではなく、円筒状の中空部材であってもよい。この場合、ベール４１を軽量化できる。
【００３５】
（ｄ）  前記実施形態では、固定軸４３の軸部４３ｂは、軸部材４３ｃと筒状部材４３ｄとが別部材で構成されていたが、軸部材４３ｃと筒状部材４３ｄとを一体成形する構成にしてもよい。
【００３６】
（ｅ）  前記実施形態では、第２ベール支持部材４２及び固定軸カバー４６に両端が固定されるベール４１を有するスピニングリールであったが、ベール４１及び第２ベール支持部材４２を有していないベールレス型のスピニングリールに本発明を適用できる。
【符号の説明】
【００３７】
１  ハンドル
１ａ  把手部
１ｂ  クランクアーム
２  リール本体
２ａ  リールボディ
２ｂ  竿取付脚
３  ロータ
４  スプール
５  ロータ駆動機構
６  オシレーティング機構
１０  ハンドル軸
１１  マスターギア
１２  ピニオンギア
１５  スプール軸
２１  螺軸
２２  スライダ
２３  中間ギア
３０  円筒部
３１  第１ロータアーム
３２  第２ロータアーム
３３  ナット
３４  ベールアーム
４０  第１ベール支持部材
４０ａ  アーム部
４０ｂ  装着部
４０ｃ  貫通孔
４１  ベール
４２  第２ベール支持部材
４３  固定軸
４３ａ  頭部
４３ｂ  軸部
４３ｃ  軸部材
４３ｄ  筒状部材
４４  ラインローラ
４４ａ  案内部
４４ｂ  筒状部
４４ｃ  環状部材
４５  ワンウェイクラッチ
４６  固定軸カバー
４６ａ  カバー本体
４６ｂ  凹部
５２  固定ボルト
６０  ドラグ機構
【図１】
2011177117.tif 000003
【図２】
2011177117.tif 000004
【図３】
2011177117.tif 000005
【図４】
2011177117.tif 000006
【図５】
2011177117.tif 000007